(57)【要約】【課題】皮膚表面あるいは美容器具の皮膚表面当接部にジェルやクリームを塗布することなく、美容器具の皮膚表面当接部を皮膚表面に密着させ、超音波による振動の伝播効率を高めることが可能な美容器具を提供することを目的とする。【解決手段】美容器具１は、流動体貯留部１０と超音波振動子２０とを備える。流体貯留部１０は、その表面に当接領域１１が形成された袋状部材から構成される。また、超音波振動子２０は、流動体貯留部１０における当接領域１１とは逆側の表面１２に配設される。さらに、この美容器具１は、流動体貯留部１０と超音波振動子２０とを、流動体貯留部１０における当接領域１１とは逆側から支持するベルト５０を備える。流体貯留部１０は、例えば、軟質塩化ビニル樹脂により形成される。この流体貯留部１０の内部には流動体１３が収納される。【選択図】        図１
2004208750.tif 000002
【特許請求の範囲】
【請求項１】
その表面に身体と当接可能な平面状の当接領域が形成された軟質の袋状部材から構成され、その内部に流動体を収納する流動体貯留部と、
前記流動体貯留部における前記当接領域とは逆側の表面に配設された超音波振動子と、
を備えたことを特徴とする美容器具。
【請求項２】
請求項１に記載の美容器具において、
前記流動体貯留部の表面に複数個の超音波振動子が配設された美容器具。
【請求項３】
請求項２に記載の美容器具において、
前記複数個の超音波振動子を順番に振動させる超音波振動子駆動機構を備える美容器具。
【請求項４】
請求項２または請求項３に記載の美容器具において、
前記流動体貯留部内に収納された流動体を複数の領域に区分する仕切り壁を備える美容器具。
【請求項５】
請求項４に記載の美容器具において、
前記仕切り壁には、前記流動体が通過可能な複数の孔が形成された美容器具。
【請求項６】
請求項１乃至請求項５のいずれかに記載の美容器具において、
前記流動体貯留部と前記超音波振動子とを、前記流動体貯留部における前記当接領域とは逆側から支持する支持部材を備え、
前記支持部材は、当該支持部材を、前記流動体貯留部および前記超音波振動子とともに、身体の一部に装着するために使用される止め部材を備える美容器具。
【発明の詳細な説明】
【０００１】
【発明の属する技術分野】
この発明は、皮膚に対して超音波振動を付与することにより美容効果を奏せしめる美容器具に関する。
【０００２】
【従来の技術】
このような美容器具としては、特許文献１に記載されたように、パッドと、このパッドに超音波振動を付与する超音波振動子とを備えたものが知られている。そして、この美容器具においては、パッドを皮膚の表面に対して摺動させることにより、超音波振動子から発振される超音波をパッドを介して皮膚に伝播し、マッサージ効果による新陳代謝促進作用や温熱エネルギー効果による深部温熱作用等により、美容効果を奏せしめるように構成されている。
【０００３】
【特許文献１】特開２０００−２３３００９号
【０００４】
また、特許文献２に記載されたように、超音波振動子を内蔵したプローブが複数個配設されたベルトを有するものも知られている。この美容器具においては、身体に巻回させることができるため、美容器具を皮膚の表面に対して摺動させることなく、超音波振動子から発振される超音波をパッドを介して皮膚に伝播し、特許文献１に記載されたような美容器具と同様の効果を得ることができる。
【０００５】
【特許文献２】特開２００２−０００６８４号
【０００６】
上記のような美容器具を使用する場合には、この美容器具の皮膚表面当接部を皮膚表面に密着させ、超音波による振動の伝播効率を高めるため、通常、ジェルやクリームを皮膚表面あるいは美容器具の皮膚表面当接部に塗布する。次に、この美容器具の皮膚表面当接部を皮表面に対して軽く押し当て、必要に応じて皮膚表面に沿って移動させる。
【０００７】
【発明が解決しようとする課題】
しかしながら、上記のような美容器具を使用する際に、皮膚表面あるいは美容器具の皮膚表面当接部にジェルやクリームを塗布するという手間が必要となるばかりでなく、この美容器具の使用後に、皮膚表面あるいは美容器具の皮膚表面当接部に塗布されたジェルやクリームを拭き取るという手間も必要である。また、皮膚表面あるいは美容器具の皮膚表面当接部に塗布されたジェルやクリームが、美容器具内に侵入し、美容器具の寿命を短期化させるおそれもある。
【０００８】
この発明は上記課題を解決するためになされたものであり、皮膚表面あるいは美容器具の皮膚表面当接部にジェルやクリームを塗布することなく、美容器具の皮膚表面当接部を皮膚表面に密着させることができ、超音波による振動の伝播効率を高めることが可能な美容器具を提供することを目的とする。
【０００９】
【課題を解決するための手段】
請求項１に記載の発明は、その表面に身体と当接可能な平面状の当接領域が形成された軟質の袋状部材から構成され、その内部に流動体を収納する流動体貯留部と、前記流動体貯留部における前記当接領域とは逆側の表面に配設された超音波振動子とを備えたことを特徴とする。
【００１０】
請求項２に記載の発明は、請求項１に記載の美容器具において、前記流動体貯留部の表面に複数個の超音波振動子が配設される。
【００１１】
請求項３に記載の発明は、請求項２に記載の美容器具において、前記複数個の超音波振動子を順番に振動させる超音波振動子駆動機構を備える。
【００１２】
請求項４に記載の発明は、請求項２または請求項３に記載の美容器具において、前記流動体貯留部内に収納された流動体を複数の領域に区分する仕切り壁を備える。
【００１３】
請求項５に記載の発明は、請求項４に記載の美容器具において、前記仕切り壁には、前記流動体が通過可能な複数の孔が形成される。
【００１４】
請求項６に記載の発明は、請求項１乃至請求項５のいずれかに記載の美容器具において、前記流動体貯留部と前記超音波振動子とを、前記流動体貯留部における前記当接領域とは逆側から支持する支持部材を備え、前記支持部材は、当該支持部材を、前記流動体貯留部および前記超音波振動子とともに、身体の一部に装着するために使用される止め部材を備える。
【００１５】
【発明の実施の形態】
以下、この発明の実施の形態を図面に基づいて説明する。図１は、この発明の第１実施形態に係る美容器具１を示す正面図であり、図２は、図１におけるＡ−Ａ断面を示す縦断面図である。また、図３は、この発明に係る美容器具１のベルト５０を取り外して見た裏面図である。
【００１６】
この美容器具１は、流動体貯留部１０と超音波振動子２０とを備える。流体貯留部１０は、その表面に当接領域１１が形成された袋状部材から構成される。この当接領域１１は、身体と当接可能な平面状となっている。また、超音波振動子２０は、流動体貯留部１０における当接領域１１とは逆側の表面１２に配設される。
【００１７】
さらに、この美容器具１は、流動体貯留部１０と超音波振動子２０とを、流動体貯留部１０における当接領域１１とは逆側から支持するベルト５０を備える。このベルト５０の一端には、ベルト５０を、流動体貯留部１０および超音波振動子２０とともに身体の一部に装着するために使用される平面ファスナー５２が配設されている。このため、美容器具１を、流動体貯留部１０の当接領域１１が身体と対向するように設置した後、ベルト５０の端部を平面ファスナー５２で固定することにより、美容器具１を身体の周りに装着することが可能となる。
【００１８】
流体貯留部１０は、例えば、軟質塩化ビニル樹脂により形成される。この流体貯留部１０の内部には流動体１３が収納される。これにより、当接領域１１を身体の形状に合わせて当接させることが可能となる。なお、この明細書においては、通常の液体と高粘度の液体や半流動体、あるいは、ゾルがジェリー状に固化したゲルやクリーム状物等を含めて流動体と呼称する。
【００１９】
なお、上記の第１実施形態に係る美容器具１は、流動体貯留部１０と超音波振動子２０とを流動体貯留部１０における当接領域１１とは逆側から支持するベルト５０を備えているが、ベルト５０を省略してもよい。
【００２０】
次に、この発明の他の実施の形態を図面に基づいて説明する。図４は、この発明の第２実施形態に係る美容器具１を示す説明図であり、図５は、図４におけるＡ−Ａ断面を示す縦断面図である。
【００２１】
この美容器具１は、流動体貯留部１０と１０個の超音波振動子２０ａ、２０ｂ、２０ｃ、２０ｄ、２０ｅ、２０ｆ、２０ｇ、２０ｈ、２０ｉ、２０ｊ（以下、これらを総称する場合には、「超音波振動子２０」という）とを備える。流体貯留部１０は、その表面に当接領域１１が形成された袋状部材から構成される。この当接領域１１は、身体と当接可能な平面状となっている。また、超音波振動子２０は、流動体貯留部１０における当接領域１１とは逆側の表面１２に配設される。
【００２２】
さらに、この美容器具１は、流動体貯留部１０と超音波振動子２０とを、流動体貯留部１０における当接領域１１とは逆側から支持するベルト５０を備える。このベルト５０の一端には、ベルト５０を、流動体貯留部１０および超音波振動子２０とともに身体の一部に装着するために使用されるリング部材５１が配設されている。このため、美容器具１を、流動体貯留部１０の当接領域１１が身体と対向するように設置した後、ベルト５０の端部をリング部材５１に巻回するとともに図示しない平面ファスナーで固定することにより、美容器具１を身体の周りに装着することが可能となる。
【００２３】
この流体貯留部１０は、例えば、軟質塩化ビニル樹脂により形成される。また、流体貯留部１０の内部には流動体１３が収納される。これにより、当接領域１１を身体の形状に合わせて当接させることが可能となる。
【００２４】
図６は、この発明の第２実施形態に係る美容器具１の流体貯留部１０の要部を示す縦断面図であり、図７は、図４におけるＢ−Ｂ断面を示す縦断面図である。
【００２５】
図６および図７に示すように、流動体貯留部１０は、その内部に収納された流動体１３を、５個の領域に区分する仕切り壁１４を備える。仕切り壁１４により区切られた各領域には、各々、２個の超音波振動子２０が配置される。これにより、仕切り壁１４により区切られた領域内の流動体を一定に保たせることが可能となる。
【００２６】
また、図６および図７に示されるように、仕切り壁１４には、流動体１３が通過可能な複数の孔１５が形成される。これにより、美容器具１を身体に装着させる際に、身体の凹凸による美容器具１の変形に伴って流動体貯留部１０内を流動体１３が移動し、美容器具１を身体に密着させることが可能となる。
【００２７】
図８は、この発明の第２実施形態に係る美容器具１の主要な電気的構成を示すブロック図である。
【００２８】
この美容器具１は、超音波信号を発生する超音波発生部３２と、この超音波発生部３２を制御するための制御部として機能するコントローラ３３に接続された入力部３１とを備える。
【００２９】
また、この美容器具１は、ＦＥＴスイッチ３６と、このＦＥＴスイッチ３６を切り替えるために使用されるリングカウンタ３５に対し切替タイミングを示す２．５ヘルツ程度のクロック信号を供給する発振器３４とを備える。
【００３０】
超音波信号発生部３２は、３メガヘルツの周波数と２メガヘルツの周波数の二種類の超音波信号を発生する。３メガヘルツの周波数の超音波は、配線４３およびスイッチ３８を介してＦＥＴスイッチ３６に到達し、このＦＥＴスイッチ３６から配線４１を介して５個の超音波振動子２０ａ、２０ｃ、２０ｅ、２０ｇ、２０ｉに供給される。一方、２メガヘルツの周波数の超音波は、配線４５およびスイッチ３９を介してＦＥＴスイッチ３６に到達し、このＦＥＴスイッチ３６から配線４１を介して５個の超音波振動子２０ｂ、２０ｄ、２０ｆ、２０ｈ、２０ｊに供給される。
【００３１】
図８に示す電気的構成を有する美容器具１においては、超音波発生部３２と拡張音波振動子２０とが、リングカウンタ３５およびＦＥＴスイッチ３６の作用により後述するタイミングで順次接続され、各超音波振動子２０順次振動する。このとき、超音波発生部３２と超音波振動子２０ａ、２０ｃ、２０ｅ、２０ｇ、２０ｉとが接続されているときにはスイッチ３８が閉じられ、スイッチ３９が開かれる。一方、超音波発生部３２と超音波振動子２０ｂ、２０ｄ、２０ｆ、２０ｈ、２０ｊとが接続されているときにはスイッチ３９が閉じられ、スイッチ３８が開かれる。
【００３２】
図９は、この発明の第２実施形態に係る美容器具１の各超音波振動子２０が振動するタイミングを示すタイムチャートである。
【００３３】
図９に示すように、先ず超音波振動子２０ａは時間ｔだけ振動する。時間ｔは、発振器３４からリングカウンタ３５に付与されるクロック信号の周波数が２．５ヘルツの場合、０．４秒となる。次に超音波振動子２０ａの振動が止まるとともに、超音波振動子２０ｂが振動する。このような動作を繰り返すことにより、１０個の超音波振動子２０ａ、２０ｂ、２０ｃ、２０ｄ、２０ｅ、２０ｆ、２０ｇ、２０ｈ、２０ｉ、２０ｊが、この順で振動する。
【００３４】
このため、この美容器具１と皮膚とが常時接触している構成であっても、皮膚に過度の刺激が付与されることはない。
【００３５】
上述した実施形態においては、超音波振動子２０ａ、超音波振動子２０ｂ、超音波振動子２０ｃ、超音波振動子２０ｄ、超音波振動子２０ｅ、超音波振動子２０ｆ、超音波振動子２０ｇ、超音波振動子２０ｈ、超音波振動子２０ｉ、超音波振動子２０ｊの順に超音波振動を付与しているが、超音波振動子２０ａ、超音波振動子２０ｂ、超音波振動子２０ｄ、超音波振動子２０ｆ、超音波振動子２０ｈ、超音波振動子２０ｊ、超音波振動子２０ｉ、超音波振動子２０ｇ、超音波振動子２０ｅ、超音波振動子２０ｃの順に超音波振動を付与するようにしてもよい。
【００３６】
また、１０個の超音波振動子２０ａ、２０ｂ、２０ｃ、２０ｄ、２０ｅ、２０ｆ、２０ｇ、２０ｈ、２０ｉ、２０ｊに対し、乱数等を使用してランダムに超音波振動を付与するようにしてもよい。
【００３７】
さらに、上述した実施形態においては、１０個の超音波振動子２０ａ、２０ｂ、２０ｃ、２０ｄ、２０ｅ、２０ｆ、２０ｇ、２０ｈ、２０ｉ、２０ｊのうち単一の超音波振動子に順番に超音波振動を付与する構成となっているが、複数個の超音波振動子２０に同時に超音波振動を付与する構成としてもよい。例えば、最初は超音波振動子２０ａ、超音波振動子２０ｂ、超音波振動子２０ｃに時間ｔだけ超音波振動を付与し、次に超音波振動子２０ｄ、超音波振動子２０ｅ、超音波振動子２０ｆに時間ｔだけ超音波振動を付与し、次に超音波振動子２０ｇ、超音波振動子２０ｈ、超音波振動子２０ｉに時間ｔだけ超音波振動を付与し、しかる後、超音波振動子２０ｊ、超音波振動子２０ａ、超音波振動子２０ｂに超音波振動を付与する動作を繰り返すようにしてもよい。
【００３８】
【発明の効果】
請求項１に記載の発明によれば、その表面に身体と当接可能な平面状の当接領域が形成された軟質の袋状部材から構成され、その内部に流動体を収納する流動体貯留部と、流動体貯留部における当接領域とは逆側の表面に配設された超音波振動子とを備えることから、皮膚表面あるいは美容器具の皮膚表面当接部にジェルやクリームを塗布することなく、美容器具の皮膚表面当接部を皮膚表面に密着させ、超音波による振動の伝播効率を高めることが可能となる。
【００３９】
請求項２に記載の発明によれば、流動体貯留部の表面に複数個の超音波振動子が配設されることから、身体の局所的な部位に超音波の振動を伝播することが可能となる。
【００４０】
請求項３に記載の発明によれば、複数個の超音波振動子を順番に振動させる超音波振動子駆動機構を備えることから、皮膚に対して過度の刺激を付与することなく、効率的に美容効果を得ることが可能となる。
【００４１】
請求項４に記載の発明によれば、流動体貯留部内に収納された流動体を複数の領域に区分する仕切り壁を備えることから、仕切り壁１４により区切られた領域内の流動体を一定に保たせることが可能となる。
【００４２】
請求項５に記載の発明によれば、仕切り壁は、前記流動体が通過可能な複数の孔を備えることから、美容器具を身体に装着させる際に、身体の凹凸による美容器具の変形に伴って流動体が移動し、流動体貯留部における当接領域を身体に密着させることが可能となる。
【００４３】
請求項６に記載の発明によれば、流動体貯留部と超音波振動子とを、流動体貯留部における当接領域とは逆側から支持する支持部材を備え、支持部材は、当該支持部材を、流動体貯留部および前記超音波振動子とともに、身体の一部に装着するために使用される止め部材を備えることから、美容器具を身体の周りに装着することが可能となる。
【図面の簡単な説明】
【図１】この発明の第１実施形態に係る美容器具１を示す正面図である。
【図２】図１におけるＡ−Ａ断面を示す縦断面図である。
【図３】この発明に係る美容器具１のベルト５０を取り外して見た裏面図である。
【図４】この発明の第２実施形態に係る美容器具１を示す説明図である。
【図５】図４におけるＡ−Ａ断面を示す縦断面図である。
【図６】この発明の第２実施形態に係る美容器具１の流体貯留部１０の要部を示す縦断面図である。
【図７】図４におけるＢ−Ｂ断面を示す縦断面図である。
【図８】この発明の第２実施形態に係る美容器具１の主要な電気的構成を示すブロック図である。
【図９】この発明の第２実施形態に係る美容器具１の各超音波振動子２０が振動するタイミングを示すタイムチャートである。
【符号の説明】
１      美容器具
１０      流動体貯留部
１１      当接領域
１２      表面
１３      流動体
１４      仕切り壁
１５      孔
２０      超音波振動子
３１      入力部
３２      超音波発生部
３３      コントローラ
３４      発振器
３５      リングカウンタ
３６      ＦＥＴスイッチ
５０      ベルト
５１      リング部材
【図１】
2004208750.tif 000003
【図２】
2004208750.tif 000004
【図３】
2004208750.tif 000005
【図４】
2004208750.tif 000006
【図５】
2004208750.tif 000007
【図６】
2004208750.tif 000008
【図７】
2004208750.tif 000009
【図８】
2004208750.tif 000010
【図９】
2004208750.tif 000011